(57)【要約】【課題】体外循環システムにおいて、液体分離器の液体による気圧センサの汚染を防止する。【解決手段】体内から取り出された液体を処理して体内に戻す体外循環システム１において、体内から取り出された血液が流入し、当該血液の入口１０ａと出口１０ｂを有する一次側Ａと、中空糸膜５０を通じて一次側Ａの血液から分離された血漿が流入し、当該血漿の出口１０ｃを有する二次側Ｂとを備えた第１の液体分離器１０と、第１の液体分離器１０の二次側Ｂの出口１０ｃよりも上部に連通する管路６０と、管路６０に接続された気圧センサ６２と、管路６０に接続されたポンプ６３と、を有する。管路６０の気圧センサ６２と第１の液体分離器１０の間には、液溜まり部７０が形成されている。【選択図】図１
2010125207.tif 000002
【特許請求の範囲】
【請求項１】
体内から取り出された液体を処理して体内に戻す体外循環システムであって、
体内から取り出された液体が流入し、当該液体の入口と出口を有する一次側と、分離材を通じて前記一次側の液体から分離された液体成分が流入し、当該液体成分の出口を有する二次側とを備えた液体分離器と、
前記液体分離器の前記二次側の前記出口よりも上部に連通する管路と、
前記管路に接続され、当該管路内の気圧を介して前記液体分離器の前記二次側内の圧力を検出する気圧センサと、
前記管路に接続され、前記液体分離器の前記二次側に対し気体を圧送及び吸引可能なポンプと、を有し、
前記管路の前記気圧センサと前記液体分離器の間には、前記液体分離器から流入した液体が溜まる液溜まり部が形成されていることを特徴とする、体外循環システム。
【請求項２】
前記管路の前記ポンプと前記気圧センサよりも前記液体分離器側の位置には、前記管路内の気体内の不要物の通過を阻止するフィルタが設けられ、
前記管路の前記フィルタと前記液体分離器の間に、前記液溜まり部が形成されていることを特徴とする、請求項１に記載の体外循環システム。
【請求項３】
前記管路の前記液溜まり部よりも前記気圧センサ側の位置には、前記管路を切断及び接続可能なコネクタ部が形成されていることを特徴とする、請求項１又は２に記載の体外循環システム。
【請求項４】
前記液溜まり部は、前記管路の内径を他の部分よりも大きくすることにより形成されていることを特徴とする、請求項１〜３のいずれかに記載の体外循環システム。
【請求項５】
前記液溜まり部の内径は、８ｍｍ以上に形成されていることを特徴とする、請求項４に記載の体外循環システム。
【請求項６】
前記管路の内径は、４ｍｍ以下であることを特徴とする、請求項１〜５のいずれかに記載の体外循環システム。
【請求項７】
前記液体分離器の二次側の前記出口よりも上部には、前記管路に連通する他の出口が形成されており、
前記気圧センサは、前記他の出口より高い位置に設置されていることを特徴とする、請求項１〜６のいずれかに記載の体外循環システム。
【請求項８】
前記分離材は、中空糸膜であることを特徴とする、請求項１〜７のいずれかに記載の体外循環システム。
【請求項９】
前記液体の処理は、血液の血漿浄化であり、
前記液体分離器は、血液から血漿を分離するものであることを特徴とする、請求項１〜８のいずれかに記載の体外循環システム。
【発明の詳細な説明】
【技術分野】
【０００１】
本発明は、患者等の体内から取り出された液体を処理して体内に戻す体外循環システムに関する。
【背景技術】
【０００２】
例えば患者の体内から血液を取り出し体外で処理して体内に戻す血漿浄化療法や白血球除去療法などの血液浄化療法は、体外循環システムを用いて行われている。当該体外循環システムは、血液を含む液体が流れる体外循環回路を有し、当該体外循環回路には、例えば血液から血漿や白血球を分離する液体分離器が接続されている。
【０００３】
例えば上記液体分離器は、内部に中空糸膜などの分離材を有し、当該分離材の一次側（分離前の領域）には、血液の入口と出口が形成され、二次側（分離後の領域）には、分離された血液成分の出口が形成されている（特許文献１の図２等参照）。
【０００４】
また、上記液体分離器の二次側の上部には、管路が接続されている。管路には、当該管路内の気圧を介して液体分離器の二次側の圧力を検出する気圧センサや、二次側に気体を圧送及び吸引可能なポンプなどが接続されている。当該気圧センサにより、例えば血液浄化治療時に二次側の圧力を監視し、一次側と二次側の圧力差が大きくなりすぎて血球等が中空糸膜の孔に無理に押し込まれて損傷することを防止できる。
【０００５】
ところで、上述の血液浄化治療が行われる際には、当該治療に先立って、体外循環システムのプライミング処理が行われる。このプライミング処理では、液体分離器を含む体外循環回路が生理食塩水などの清浄な液体に置換されて洗浄される。
【０００６】
例えば上記プライミング処理時や、その後の血液浄化治療時には、液体分離器の二次側の上部に気体の空間が形成され、二次側の液面が所定の位置に下げられる。こうすることにより、例えばプライミング処理時には、二次側の液体がその出口側、或いは一次側に効率的に流れるので、液体の置換が効率的に行われる。また、血液浄化治療時には、二次側の上部に気体の空間を形成した分、循環させる血液の総量を減らして、患者への負担を低減することができる。
【０００７】
一方、例えば二次側の液面が出口よりも下がると、体外循環回路内に気泡が混入してしまう。かかる気泡の混入を防止するため、例えばプライミング処理の際に、二次側の液面を適正な位置に調整する液面調整が行われる。この液面調整は、例えば気圧センサにより二次側の圧力を検出しつつ、ポンプにより二次側に対し気体を圧送或いは吸引することにより行うことができる。
【０００８】
【特許文献１】特開２００５−２５３５５５号公報
【発明の開示】
【発明が解決しようとする課題】
【０００９】
しかしながら、上述の液面調整を行う場合、二次側上部の気体空間の壁面などに生理食塩水などの液体が残存することがある。そして、ポンプにより吸引した際に、当該液体が管路に入り込み、例えば気圧センサに付着して気圧センサを汚染することが考えられる。気圧センサが液体により汚染されると、圧力の検出精度が低下したり、気圧センサの故障を招くことがある。このような場合、気圧センサを交換する必要がある。
【００１０】
本発明は、かかる点に鑑みてなされたものであり、液体分離器の液体による気圧センサの汚染を防止することをその目的とする。
【課題を解決するための手段】
【００１１】
上記目的を達成するための本発明は、体内から取り出された液体を処理して体内に戻す体外循環システムであって、体内から取り出された液体が流入し、当該液体の入口と出口を有する一次側と、分離材を通じて前記一次側の液体から分離された所定の液体成分が流入し、当該液体成分の出口を有する二次側とを備えた液体分離器と、前記液体分離器の前記二次側の前記出口よりも上部に連通する管路と、前記管路に接続され、当該管路内の気圧を介して前記液体分離器の前記二次側内の圧力を検出する気圧センサと、前記管路に接続され、前記液体分離器の前記二次側に対し気体を圧送及び吸引可能なポンプと、を有し、前記管路の前記気圧センサと前記液体分離器の間には、前記液体分離器から流入した液体が溜まる液溜まり部が形成されていることを特徴とする。なお、「管路」には、前記液体分離器の二次側の上部に直接接続されているものだけでなく、間接的に接続されているものも含まれる。
【００１２】
本発明によれば、液溜まり部により管路内の液体が捉えられるので、液体分離器の液体が管路を通じて気圧センサに到達することを抑制できる。よって、液体分離器の液体による気圧センサの汚染を防止できる。
【００１３】
前記管路の前記ポンプと前記気圧センサよりも前記液体分離器側の位置には、前記管路内の気体内の不要物の通過を阻止するフィルタが設けられ、前記管路の前記フィルタと前記液体分離器の間に、前記液溜まり部が形成されていてもよい。かかる場合、液体分離器の液体によりフィルタが濡れて気体が不通になることを抑制できるので、気圧センサによる圧力検出が適正に行われる。
【００１４】
前記管路の前記液溜まり部よりも前記気圧センサ側の位置には、前記管路を切断及び接続可能なコネクタ部が形成されていてもよい。かかる場合、例えば患者ごとに外されて交換される、コネクタ部よりも液体分離器側の部分に液溜まり部が形成されるので、交換されない気圧センサ側の部分に液体が入り込むことを抑制できる。これにより、気圧センサなどの非交換部分が、液体内に含まれる感染物質などにより汚染されることを防止できる。
【００１５】
前記液溜まり部は、前記管路の内径を他の部分よりも大きくすることにより形成されていてもよい。かかる場合、液溜まり部を簡単な構造で形成できる。
【００１６】
前記液溜まり部の内径は、８ｍｍ以上に形成されていてもよい。かかる場合、管路内の液体の表面張力と重力等の関係から、管路内の液体が液溜まり部の内表面から確実に離れるので、当該液溜まり部において液体をより確実に補集できる。
【００１７】
前記管路の内径は、４ｍｍ以下であってもよい。このように管路が細い場合、ポンプにより二次側の液面調整が行い易く、また管路の接続などの操作性が良好な一方で、液体が管路内に残留しやすい。このため、一旦管路に液体が入り込むと残留し気圧センサ側に移動する可能性が高くなるので、本発明のように管路に液溜まり部を形成する効果は非常に大きい。
【００１８】
前記液体分離器の二次側の前記出口より上部には、前記管路に連通する他の出口が形成されており、前記気圧センサは、前記他の出口より高い位置に設置されていてもよい。かかる場合、重力により液体分離器の二次側の液体が気圧センサに到達しにくくなるので、気圧センサの汚染をより確実に防止できる。
【００１９】
前記分離材は、中空糸膜であってもよい。
【００２０】
前記液体の処理は、血液の血漿浄化であり、前記液体分離器は、血液から血漿を分離するものであってもよい。かかる場合、液体分離器の二次側に血漿が分離、濾過される構成において本発明を用いることで、気圧センサ側への血漿の流入を効率的に阻止することができ、好適である。
【発明の効果】
【００２１】
本発明によれば、液体分離器内の液体による気圧センサの汚染を防止できるので、例えば気圧センサの交換回数を低減できる。
【発明を実施するための最良の形態】
【００２２】
以下、図面を参照して、本発明の好ましい実施の形態について説明する。図１は、本実施の形態に係る体外循環システム１の構成の概略を示す説明図である。
【００２３】
本実施の形態では、例えば血漿浄化療法のうちの二重濾過血漿浄化療法（Double Filtration Plasmapheresis（ＤＦＰＰ））を実施する体外循環システム１について説明する。
【００２４】
図１に示すように体外循環システム１は、例えば血液等の液体が流れる体外循環回路２と、当該体外循環回路２が固定され、体外循環回路２の液体の循環を行ったり、体外循環回路２内の圧力を調整したりする体外循環装置３を有している。
【００２５】
体外循環回路２は、例えば患者から取り出された血液を第１の液体分離器１０に送り患者に戻す血液回路１１と、第１の液体分離器１０により分離された血漿を第２の液体分離器１２に送り血液回路１１に戻す血漿回路１３を有している。
【００２６】
血液回路１１は、一端が患者の採血部に接続され、他端が第１の液体分離器１０の入口１０ａに接続される採血管路２０と、一端が第１の液体分離器１０の出口１０ｂに接続され、他端が患者の返血部に接続される返血管路２１を有している。採血管路２０には、血液の脱気を行うためのドリップチャンバ３０が接続されている。ドリップチャンバ３０には、例えば終端部が大気開放可能な分岐管路３１が接続されている。分岐管路３１には、体外循環装置３に設けられた圧力センサ３２が接続されている。返血管路２１には、ドリップチャンバ４０が設けられている。ドリップチャンバ４０には、例えば終端部が大気開放可能な分岐管路４１が接続されている。分岐管路４１には、体外循環装置３の圧力センサ４２が接続されている。
【００２７】
第１の液体分離器１０は、例えば略円筒形状を有し、軸が上下方向を向くように体外循環装置３に設置されている。第１の液体分離器１０は、内部に、血液から血漿を分離する分離材としての中空糸膜５０を有し、内部が一次側Ａと二次側Ｂに分離されている。中空糸膜５０は、例えば第１の液体分離器１０の内部の中央に配置され、一次側Ａが中央に円柱状に形成され、二次側Ｂが一次側Ａの周りを囲む円筒状に形成されている。第１の液体分離器１０の上部には、採血管路２０が接続される入口１０ａが形成され、下部には、返血管路２１が接続される出口１０ｂが形成されている。入口１０ａと出口１０ｂは、内部の一次側Ａに連通しており、これによって、採血管路２０の血液を、第１の液体分離器１０の一次側Ａを通過させて返血管路２１に流すことができる。
【００２８】
第１の液体分離器１０の側面部の下部には、血漿の出口１０ｃが形成され、上部には、他の出口１０ｄが形成されている。出口１０ｃ、１０ｄは、内部の二次側Ｂに連通している。
【００２９】
第１の液体分離器１０の上部の出口１０ｄには、終端部が大気開放可能な管路６０が接続されている。当該管路６０には、管路６０内の気体内の不要物の通過を阻止するフィルタ６１と、管路６０内の気圧を介して第１の液体分離器１０の二次側Ｂ内の圧力を検出する気圧センサ６２と、第１の液体分離器１０の二次側Ｂに対し気体を圧送及び吸引可能なチューブポンプ６３が、第１の液体分離器１０側からこの順で接続されている。これらの気圧センサ６２及びチューブポンプ６３は、体外循環装置３に設置されている。また、気圧センサ６２は、第１の液体分離器１０の出口１０ｄよりも高い位置に設置されている。
【００３０】
管路６０は、フィルタ６１の直後にコネクタ部６０ａを有し、管路６０を途中で切断及び接続できる。管路６０のフィルタ６１より第１の液体分離器１０側には、液溜まり部７０が形成されている。液溜まり部７０は、例えば図２に示すように円筒状に形成され、管路６０の内径が他の部分より大きくなることにより形成されている。液溜まり部７０の内径Ｄ１は、例えば８ｍｍ以上に形成されている。なお、管路６０の他の部分の内径は、例えば４ｍｍ以下になっている。また、液溜まり部７０は、例えばフィルタ６１側の端部が先細のテーパ状に形成されている。液溜まり部７０は、軸が上下方向に向いて、テーパ側が上を向くように設置されている。
【００３１】
血漿回路１３は、例えば一端が第１の液体分離器１０の出口１０ｃに接続され、他端が第２の液体分離器１２の入口１２ａに接続される往管路８０と、一端が第２の液体分離器１２の出口１２ｂに接続され、他端が返血管路２１の第１の液体分離器１０とドリップチャンバ４０との間に接続される復管路８１を有している。往管路８０には、ドリップチャンバ９０が接続されている。ドリップチャンバ９０には、例えば終端部が大気開放可能な分岐管路９１が接続されている。分岐管路９１には、体外循環装置３の圧力センサ９２が接続されている。復管路８１には、例えば分岐管路１００が接続されている。
【００３２】
また、第２の液体分離器１２は、第１の液体分離器１０と同様の構成を有し、内部に血漿から病因物質を分離する中空糸膜１１０が設けられている。中空糸膜１１０は、第２の液体分離器１２の中央に配置されている。これにより第２の液体分離器１２の中央には、円柱状の一次側Ｅが形成され、その周りに円筒状の二次側Ｆが形成されている。第２の液体分離器１２の下部には、一次側Ｅに連通し、往管路８０が接続される入口１２ａが形成されている。第２の液体分離器１２の側面部の下部には、二次側Ｆに連通し、復管路８１が接続される出口１２ｂが形成されている。第２の液体分離器１２の上部には、一次側Ｅに通じる出口１２ｃが形成され、当該出口１２ｃには、病因物質を排出する廃液管路１２０が接続されている。第２の液体分離器１２の側面の上部には、二次側Ｆに通じる出口１２ｄが形成され、当該出口１２ｄには、例えば終端部がフィルターを介して大気開放された分岐管路１３０が接続されている。
【００３３】
体外循環装置３は、上述の気圧センサ６２、チューブポンプ６３、圧力センサ３２、４２、９２の他、チューブポンプ１４０、１４１、１４２、１４３や、管路を挟んで開閉するクランプ１５０、１５２等を備えている。
【００３４】
例えばチューブポンプ１４０は、採血管路２０のドリップチャンバ３０より患者側に接続されている。チューブポンプ１４１は、往管路８０のドリップチャンバ９０より第１の液体分離器１０側に接続されている。チューブポンプ１４２は、廃液管路１２０に接続され、チューブポンプ１４３は、分岐管路１００に接続されている。なお、図１中の矢印方向を、各チューブポンプ６３、１４０〜１４３の正回転方向とする。
【００３５】
例えばクランプ１５０は、返血管路２１のドリップチャンバ４０より患者側に取り付けられ、クランプ１５１は、分岐管路１３０に取り付けられている。
【００３６】
体外循環装置３は、その他、プライミング処理時に用いられる生理食塩水バック１６０の吊止部や、体外循環回路２０の液体分離器１０、２０やドリップチャンバ３０、４０、９０などを係止する係止部、各圧力センサ３２、４２、６２、９２による圧力検出やチューブポンプ６３、１４０〜１４３の動作を制御する制御部、画面上でシステム全体を操作可能な操作部等を備えている。
【００３７】
次に、以上のように構成された体外循環システム１のプライミング処理時と血漿浄化治療時の動作について説明する。
【００３８】
プライミング処理時には、先ず例えば図３に示すように生理食塩水バック１６０が体外循環装置３の上方の吊止部に吊下げられ、当該生理食塩水バック１６０に返血管路２１の端部が接続される。また、出荷時に水が充填されている第１の液体分離器１０と第２の液体分離器１２が、それぞれ血液回路１１、血漿回路１３に接続され、それらの体外循環回路２全体が体外循環装置３に取り付けられる。
【００３９】
そして、例えば復管路８１の分岐管路１００のチューブポンプ１４３が正回転され、第１の液体分離器１０の出口１０ｂ側が負圧にされ、その状態で、管路６０のチューブポンプ６３が正回転され、第１の液体分離器１０の二次側Ｂに気体が圧送される。これにより、第１の液体分離器１０の二次側Ｂ内が加圧され、第１の液体分離器１０の液体が出口１０ｂから流出し、復管路８１側に移動する。これにより、少なくとも第１の液体分離器１０の出口１０ｂから、返血管路２１と復管路８１との分岐点Ｇまでの区間が液体で満たされる。このとき、第１の液体分離器１０の二次側Ｂの液面が下げられる。
【００４０】
その後、例えば返血管路２１のクランプ１５０が開放され、生理食塩水バック１６０の生理食塩水が少なくとも分岐点Ｇまで送られる。その後、採血管路２０のチューブポンプ１４０が反回転され、生理食塩水が第１の液体分離器１０を通り採血管路２０の端部まで送られる。これにより、血液回路１１の全体が液体で満たされる。
【００４１】
その後、例えば分岐管路１３０のクランプ１５１が開放され、その状態で、往管路８０のチューブポンプ１４１が反回転され、返血管路２１、復管路８１及び第２の液体分離器１２の液体が往管路８０を通じて第１の液体分離器１０側に送られる。その後、一旦チューブポンプ１４１が正回転され、分岐管路１２０のチューブポンプ１４２が正回転され、第２の液体分離器１２及び分岐管路１２０が液体で満たされる。その後、チューブポンプ１４１が再び反回転され、生理食塩水バック１６０→返血管路２１→第１の液体分離器１０→採血管路２０の流れと、生理食塩水バック１６０→返血管路２１→復管路８１→第２の液体分離器１２→往管路８０→第１の液体分離器１０→採血管路２０の流れが形成され、これによって体外循環回路２全体が生理食塩水に置換され、洗浄される。
【００４２】
このプライミング処理中、第１の液体分離器１０の二次側Ｂの液面調整が行われる。例えば気圧センサ６２により圧力を検出し、当該圧力に基づいてチューブポンプ６３を正、反回転させて、液面が所望の位置に調整される。このとき、液面が出口１０ｃより高くなるように調整される。チューブポンプ６３を反回転する際、管路６０が負圧になるが、仮に二次側Ｂの液体が管路６０に入り込んでも、液溜め部７０で補集され、溜められる。
【００４３】
血漿浄化治療時には、図１に示すようにチューブポンプ１４０、１４１が正回転され、患者から取り出された血液が第１の液体分離器１０の一次側Ａに送られる。第１の液体分離器１０で中空糸膜５０により分離された血漿は、二次側Ｂに流入する。残りの血液は、第１の液体分離器１０の一次側Ａから返血管路２１に送られる。一方、二次側Ｂの血漿は、出口１０ｃから流出し、往管路８０を通じて第２の液体分離器１２の一次側Ｅに送られる。第２の液体分離器１２で中空糸膜１１０により病因物質が分離された血漿は、二次側Ｆに流出し、当該二次側Ｆから復管路８１に流出する。病因物質は、分岐管路１２０を通じて排出される。復管路８１に流出した血漿は、返血管路２１に戻され、第１の液体分離器１０からの血液と合流して、患者に戻される。
【００４４】
この血漿浄化治療時において、プライミング処理時と同様に第１の液体分離器１０の二次側Ｂの液面調整が行われる。例えば気圧センサ６２により圧力を検出し、当該圧力に基づいてチューブポンプ６３を正、反回転させて、液面が所望の位置に調整される。このとき、液面は、出口１０ｃより高い位置になるように調整される。チューブポンプ６３を反回転する際、管路６０が負圧になるが、仮に二次側Ｂの液体が管路６０に入り込んでも、液溜め部７０で補集され、溜められる。
【００４５】
以上の実施の形態によれば、第１の液体分離器１０の二次側Ｂから気圧センサ６２に通じる管路６０に液溜まり部７０が形成されている。このため、プライミング処理時及び血漿浄化治療時にチューブポンプ６３を用いて二次側Ｂの液面を調整する際に、管路６０側が負圧になり二次側Ｂ内の液体が管路６０に入り込んだとしても液溜まり部７０で溜められる。この結果、液体が気圧センサ６２に到達することを抑制できるので、気圧センサ６２の汚染を防止でき、例えば気圧センサ６２の交換回数を低減できる。
【００４６】
また、液溜まり部７０は、管路６０のフィルタ６１と第１の液体分離器１０の間に形成されているので、液体がフィルタ６１に付着することも抑制できる。この結果、フィルタ６１が液体に濡れて気体が不通になることを抑制できるので、気圧センサ６２による圧力検出を適正に行うことができる。
【００４７】
管路６０の液溜まり部７０よりも気圧センサ６２側の位置に、管路６０を切断及び接続可能なコネクタ部６０ａが形成されているので、体外循環装置３の気圧センサ６２側の部分に液体が入り込むことを抑制できる。これにより、気圧センサ６２など、患者ごとに交換されない部分が、液体内に含まれる感染物質などにより汚染されることを防止できる。
【００４８】
また、液溜まり部７０は、管路６０の内径を他の部分よりも大きくすることにより形成されているので、液溜まり部７０を簡単な構造で形成できる。
【００４９】
液溜まり部７０の内径は、８ｍｍ以上に形成されているので、管路６０内の液体の表面張力と重力等の関係から、管路６０内の液体が液溜まり部７０の内表面から確実に離れる。この結果、当該液溜まり部７０において液体をより確実に補集できる。
【００５０】
本実施の形態では、管路６０の内径が４ｍｍ以下で細いので、かかる場合、チューブポンプ６３による二次側Ｂの液面調整が容易に行うことができ、また管路６０の接続などの操作性が良好な一方で、液体が管路６０内に残留しやすい。このため、一旦管路６０に液体が入り込むと残留し気圧センサ６２側に移動する可能性が高くなるので、本発明のように管路６０に液溜まり部７０を形成する効果は非常に大きい。
【００５１】
気圧センサ６２は、第１の液体分離器１０の出口１０ｄの位置より高く設置されているので、重力により第１の液体分離器１０の二次側Ｂの液体が気圧センサ６２に到達しにくくなり、気圧センサ６２の汚染をより確実に防止できる。
【００５２】
以上、添付図面を参照しながら本発明の好適な実施の形態について説明したが、本発明はかかる例に限定されない。当業者であれば、特許請求の範囲に記載された思想の範疇内において、各種の変更例または修正例に相到し得ることは明らかであり、それらについても当然に本発明の技術的範囲に属するものと了解される。
【００５３】
例えば以上の実施の形態では、液溜まり部７０が管路６０の径を大きくすることにより形成されていたが、他の構成、例えば液体が溜まる容器の上部に、第１の液体分離器１０側と気圧センサ６２側に通じる管路６０がそれぞれ接続されているようなものであってもよい。また、以上の実施の形態では、血液が直接流れ込むいわゆる一次分離の液体分離器１０の管路６０に液溜まり部を形成した例であったが、いわゆる二次分離以降の分離を行う液体分離器の管路に液溜まり部を形成してもよい。以上の実施の形態は、二重濾過血漿浄化法のための体外循環システム１であったが、血漿吸着療法などの他の血漿浄化療法や、白血球除去療法、透析療法、血液濾過療法などの他の血液浄化療法のための体外循環システムに適用してもよい。また、血液以外の液体の体外循環システムに適用してもよい。
【図面の簡単な説明】
【００５４】
【図１】本実施の形態における体外循環システムの構成を示す概略図である。
【図２】液溜まり部の構成の概略を示す説明図である。
【図３】プライミング処理時の体外循環システムの構成を示す概略図である。
【符号の説明】
【００５５】
１  体外循環システム
２  体外循環回路
３  体外循環装置
１０  第１の液体分離器
５０  中空糸膜
６０  管路
６１  フィルタ
６２  気圧センサ
６３  チューブポンプ
７０  液溜まり部
Ａ  一次側
Ｂ  二次側
【図１】
2010125207.tif 000003
【図２】
2010125207.tif 000004
【図３】
2010125207.tif 000005